(57)【要約】【課題】ネットワークを中央のセンターでＬＡＮアウトソーシングできる。【解決手段】ホストＡ１〜Ａ３，Ｂ１〜Ｂ３が配置される複数のＬＡＮ１Ａ，１Ｂと、複数のＬＡＮ１Ａ，１Ｂに接続されるＷＡＮ２と、ＬＡＮ１Ａ，１ＢとＷＡＮ２との間を接続し、ＬＡＮ１Ａ，１ＢとＷＡＮ２の相互の宛先を変換するＣＰＥ３Ａ，３Ｂと、ＷＡＮ２に接続されるＯＳＰ４と、を備え、ＯＳＰ４は、ホストＡ１〜Ａ３，Ｂ１〜Ｂ３のホスト名と、ＭＡＣアドレスと、ＩＰアドレスとを関連付けた管理情報を管理し、ホストＡ１〜Ａ３，Ｂ１〜Ｂ３間での宛先のアドレス解決を行う。【選択図】        図１
2006020085.tif 000002
【特許請求の範囲】
【請求項１】
構内ネットワークと、広域ネットワークとで構成され、ホスト間を通信可能に相互接続されたネットワークシステムにおいて、
前記ホストが配置される複数の前記構内ネットワークと、
複数の前記構内ネットワークに接続される前記広域ネットワークと、
複数の前記構内ネットワークと前記広域ネットワークとの間を接続し、前記構内ネットワークと前記広域ネットワークの相互の宛先を変換するネットワークブリッジ装置と、
前記広域ネットワークに接続されるネットワーク管理装置と、を備え、
前記ネットワーク管理装置は、複数の前記構内ネットワークに配置されている前記ホストのホスト名と、前記ネットワークシステムにおける第１の階層アドレスと、第２の階層アドレスとを関連付けた管理情報を登録可能に管理する管理手段を備え、当該管理手段に登録されている管理情報に基づいて、前記ホスト間での宛先のアドレス解決を行うことを特徴とするネットワークシステム。
【請求項２】
前記ネットワークブリッジ装置は、前記構内ネットワークから前記第１の階層アドレスの付与を求めるアドレス付与要求を受信したときには、当該アドレス付与要求の宛先を前記ネットワーク管理装置に書き換えて前記広域ネットワークにユニキャスト送信し、前記広域ネットワークから前記アドレス付与要求に対するアドレス付与応答を受信したときには、当該アドレス付与応答を前記構内ネットワークに送信する変換手段を備えたことを特徴とする請求項１に記載のネットワークシステム。
【請求項３】
ホストが配属される構内ネットワークと、広域ネットワークとを前記ホスト間の通信が可能となるように接続するネットワークブリッジ装置において、
前記構内ネットワークから第１の階層アドレスの付与を求めるアドレス付与要求を受信したときには、当該アドレス付与要求の宛先をネットワークを集中管理するネットワーク管理装置に書き換えて前記広域ネットワークにユニキャスト送信し、前記広域ネットワークから前記アドレス付与要求に対するアドレス付与応答を受信したときには、当該アドレス付与応答を前記構内ネットワークに送信する変換手段を備えたことを特徴とするネットワークブリッジ装置。
【請求項４】
構内ネットワークと、広域ネットワークとで構成され、ホスト間を通信可能に接続するネットワークシステムにおける前記広域ネットワークに接続されて前記ネットワークシステム全体を集中管理するネットワーク管理装置において、
複数の前記構内ネットワークに配置されている前記ホストのホスト名と、前記ネットワークシステムにおける第１の階層アドレスと、第２の階層アドレスとを関連付けた管理情報を登録可能に管理する管理手段を備え、当該管理手段に登録されている管理情報に基づいて、前記ホスト間での宛先のアドレス解決を行うことを特徴とするネットワーク管理装置。
【請求項５】
ホストが配属される複数の構内ネットワークと、前記構内ネットワークに接続される広域ネットワークとで構成されているネットワークシステムにおけるネットワークアドレス解決方法であって、
複数の前記構内ネットワークに配属されている前記ホストのホスト名と、前記ネットワークシステムにおける第１の階層アドレスと、第２の階層アドレスとを関連付けた管理情報を登録可能に管理する管理工程と、
前記ホスト間の通信時に、前記管理工程により管理されている前記管理情報に基づいて宛先をアドレス解決するアドレス解決工程と、
を含むことを特徴とするネットワークアドレス解決方法。
【発明の詳細な説明】
【技術分野】
【０００１】
この発明は、構内ネットワークと、広域ネットワークとで構成されたデータ伝送ネットワークを集中管理するネットワークシステム、ネットワークブリッジ装置、ネットワーク管理装置およびネットワークアドレス解決方法に関する。
【背景技術】
【０００２】
Ｅｔｈｅｒｎｅｔ（登録商標）に代表されるような、ＩＥＥＥ８０２．３（国際規格）に準拠したデータ伝送ネットワークは、ＩＰネットワークのようなプロトコル構造的に上位のデータネットワークによってのネイティブトランスポートとして多くの構内ネットワークで利用され普及している。近年、広域ネットワークを介して、構内ネットワーク上のデータトラフィックを透過的（シームレス）に中継するネットワークサービス、いわゆる広域イーサネット（登録商標）サービスが通信事業者によって提供されており、そのようなネットワークサービスの利用も増加している。一方、企業レベルの私的なネットワークオペレーションは、アウトソーシングに向かう傾向がある。
【０００３】
図１１は、企業等が構築する従来のＩＰネットワークを示す図である。このＩＰネットワークは、前記ＩＥＥＥ８０２．３に準拠してデータ伝送を行う構内ネットワーク（ＬＡＮ、以下の説明ではこのＬＡＮをネットワークと称す）２００と、各ネットワーク２００を専用線、フレームリレー、ＡＴＭなど前記ＩＥＥＥ８０２．３以外の通信規格に準拠した広域通信回線によって相互通信可能に中継接続する広域ネットワーク（ＷＡＮ）２０１で構成される。
【０００４】
図１１には、ネットワーク２００を支店Ａ、支店Ｂ、本社の各社内ネットワークとして記載した。一般に、ＬＡＮ２００は、単一のネットワークである場合と、複数のネットワークがインターネットワーキングされている場合がある。一方、ＷＡＮではほとんどの場合、前述のＬＡＮをインターネットワーキングする形態で構成される。従来の広域通信回線では、ＬＡＮを一度終端して別のリンク層プロトコルで広域通信する必要があるため、ＬＡＮ２００及びＷＡＮ２０１の境界には、ＬＡＮフレーム２０２と、ＷＡＮフレーム２０３とを相互にフレーム変換する中継装置としてルータ２０４を配置し、利用していた。
【０００５】
次に、図１２は、ＩＥＥＥ８０２．３規格に準拠したネットワーク構成を示す図である。図１１に示したＬＡＮ２００と、ＷＡＮ２０１がともにＩＥＥＥ８０２．３規格に準拠したネットワークであれば、ＬＡＮ２００と、ＷＡＮ２０１の接続のためのルータ２０４を必ずしも配置する必要がなくなる。図１２に示す構成の場合、ＬＡＮ２００Ａと、広域イーサネット（登録商標）サービス回線２００Ｂを一つの仮想ＬＡＮ（ＶＬＡＮ）２１０とし、ルータ２０４に代えてスイッチ２１１を配置することができる（例えば、下記特許文献１参照。）。この構成では、仮想ＬＡＮ２１０全体にわたるアドレス解決と、ＩＰルーティングは、ともに遠隔に配置され中央集中管理を行うネットワーク管理装置（ＯＳＰ）２１２で制御することができ、ＬＡＮ２００Ａの管理業務をアウトソーシングすることが可能になる。
【０００６】
【特許文献１】特開２００３−１６９０８２号公報
【発明の開示】
【発明が解決しようとする課題】
【０００７】
しかしながら、ＩＰネットワークは、元々分散性の高いシステムとして設計されているため、ネットワークのローカル性が高く、オペレータは各拠点に分散してＬＡＮ内の構成管理を行う必要が生じる。従って、アウトソースを受注する事業者側にとって実際には、ＬＡＮ内構成管理を中央で集中的に行うことは難しい。このため、ＬＡＮ構成管理は、結局アウトソーシングされず、発注元に残されるか、費用をかけてアウトソースを受注する事業者側が拠点毎に要員を置くか、あるいは近隣にサポート拠点を置く場合が多い。そのため、アプリケーションやコンピュータのオペレーションアウトソーシングに比較してネットワークのアウトソーシングは効果が低く進展していない。
【０００８】
上記の図１１に記載のＩＰネットワークでは、ＬＡＮ２００側ではローカルなアドレス解決を行い、ＷＡＮ２０１ではＩＰルーティングによる経路制御が行われる。このため、ＬＡＮ２００を遠隔のネットワーク管理装置等で制御することはできない。また、アドレス解決要求（ＡＲＰ）ブロードキャストストームと、トラフィック集中の問題がある。
【０００９】
１．ＡＲＰブロードキャストストームの発生
ＡＲＰブロードキャストは、ＷＡＮを通じて全ての構内ネットワークに送られる。一般に、企業等の私的ネットワークの常識的なブロードキャストレベルは、帯域の０．１％程度といわれている。しかし、拠点数の非常に多いネットワーク、例えば１０００拠点を持つ対称なネットワーク構成では、ブロードキャストで帯域が飽和する。また、多くの企業ネットワークでのアクセスは、対称でなく狭帯域アクセスの支店と、広帯域アクセスの支点と社の帯域比が１００倍程度ある。このため、広帯域アクセスの支店のブロードキャストにより、狭帯域アクセスの支店の飽和が生じる。
【００１０】
２．トラフィック集中問題
上記の図１２の構成のように、ＯＳＰ２１２でＩＰルーティングする場合、ブロードキャスト問題は生じないが、逆に、全てのトラフィックがＯＳＰ２１２を経由することになる。このため、ＯＳＰ２１２と、広域イーサネット（登録商標）サービス回線２００Ｂとの間の接続リンク２１３を極めて大容量にしなければならない。全てのトラフィックがこのリンク２１３を往復するため、スイッチ２１１本来の分散スイッチング性が損なわれ、スケーラビリティーは実質的に単一リンクの帯域に狭められる。
【００１１】
この発明は、上述した従来技術による問題点を解消するため、構内ネットワークと、広域ネットワークとで構成され、ホスト間を通信可能に相互接続されたネットワークシステムにおいて、中央のセンターによる実効的なＬＡＮアウトソーシングが可能なネットワークシステム、ネットワークブリッジ装置、ネットワーク管理装置およびネットワークアドレス解決方法を提供することを目的とする。
【課題を解決するための手段】
【００１２】
上述した課題を解決し、目的を達成するため、この発明にかかるネットワークシステムは、構内ネットワークと、広域ネットワークとで構成され、ホスト間を通信可能に相互接続されたネットワークシステムにおいて、前記ホストが配置される複数の前記構内ネットワークと、複数の前記構内ネットワークに接続される前記広域ネットワークと、複数の前記構内ネットワークと前記広域ネットワークとの間を接続し、前記構内ネットワークと前記広域ネットワークの相互の宛先を変換するネットワークブリッジ装置と、前記広域ネットワークに接続されるネットワーク管理装置と、を備え、前記ネットワーク管理装置は、複数の前記構内ネットワークに配置されている前記ホストのホスト名と、前記ネットワークシステムにおける第１の階層アドレスと、第２の階層アドレスとを関連付けた管理情報を登録可能に管理する管理手段を備え、当該管理手段に登録されている管理情報に基づいて、前記ホスト間での宛先のアドレス解決を行うことを特徴とする。
【００１３】
この発明によれば、構内ネットワークと広域ネットワークとで構成され、ホスト間を通信可能に相互接続されたネットワークシステムは、広域ネットワークに接続された中央のネットワーク管理装置により、ホスト間での宛先のアドレス解決が行える。ネットワーク管理装置の管理手段は、複数の構内ネットワークに配置されているホストのホスト名と、第１の階層アドレスと、第２の階層アドレスとを関連付けた管理情報を登録可能に管理する。ホスト間の通信時には、ホストからの宛先の要求に対して管理手段が相手のホストの宛先を代理応答する。
【発明の効果】
【００１４】
本発明にかかるネットワークシステム、ネットワークブリッジ装置、ネットワーク管理装置およびネットワークアドレス解決方法によれば、構内ネットワークと、広域ネットワークのネットワークシステム全体をセンターにより中央集中制御でき、ＬＡＮの管理業務のアウトソーシングを推進できるという効果を奏する。
【発明を実施するための最良の形態】
【００１５】
以下に添付図面を参照して、この発明にかかるネットワークシステム、ネットワークブリッジ装置、ネットワーク管理装置およびネットワークアドレス解決方法の好適な実施の形態を詳細に説明する。
【００１６】
（実施の形態１）
この発明のネットワークシステムは、構内ネットワーク（ＬＡＮ）と、広域ネットワーク（ＷＡＮ）と、これらＬＡＮとＷＡＮとを接続するゲートウェイとしてのネットワークブリッジ装置（ＣＰＥ：Ｃｕｓｔｏｍｅｒ  Ｐｒｅｍｉｓｅｓ  Ｅｑｕｉｐｍｅｎｔ）と、センターに設けられるネットワーク管理装置（ＯＳＰ）とを構成要素とする。Ｅｔｈｅｒｎｅｔ（登録商標）等のＩＥＥＥ８０２．３に準拠したデータ伝送ネットワークでは、通常ブロードキャストによって宛先（アドレス）を発見するが、ＷＡＮを跨る発見をＯＳＰに代理応答させる仕組みをＯＳＰとＣＰＥが連携して構築する。また、ＯＳＰがアクティブなＬＡＮ内ホストを発見するためにＤＮＳ（Ｄｏｍａｉｎ  Ｎａｍｅ  Ｓｙｓｔｅｍ）とＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバの両方の機能を持ち、ＯＳＰとＣＰＥの連携によってホスト情報がレジストレーションされる仕組みを構築する。
【００１７】
図１は、この発明の実施の形態１によるネットワークシステムの全体構成を示す図である。ネットワークシステムは、ＩＥＥＥ８０２．３に準拠したデータ伝送ネットワークで構成されている構内ネットワーク（ＬＡＮ）１Ａ，１Ｂ、および広域ネットワーク（ＷＡＮ）２と、構内ネットワークと広域ネットワークを接続するネットワークノード（ＣＰＥ）３Ａ，３Ｂと、中央のセンターに設けられこれら全体のネットワークを集中制御するネットワーク管理装置（ＯＳＰ）４とによって構成されている。
【００１８】
複数の前記ＬＡＮ１Ａ，１Ｂは、ＣＰＥ３Ａ，３Ｂを介して単一のＷＡＮ２に接続される。また、一つのＯＳＰ４がスイッチ（不図示）を介してＷＡＮ２に接続される。ＯＳＰ４は、汎用のＤＨＣＰサーバと、ＤＮＳサーバの機能を有する。また、以下に説明する管理テーブルを用いたＡＲＰ（アドレス解決要求）／ＤＮＳ表の作成機能を有している。このＯＳＰ４は、複数のＬＡＮ１Ａ，１Ｂ内で起動されている全てのホストＡ１〜Ａ３，Ｂ１〜Ｂ３の第１の階層アドレス（以下、ＭＡＣアドレスと称す）と、第２の階層アドレス（以下、ＩＰアドレスと称す）と、ホスト名が従来のＩＥＥＥ８０２．３によって規定された通信手順に準拠したネットワークインターフェース（例えば、ＩＰ／Ｅｔｈｅｒｎｅｔ（登録商標））の標準的なプロトコルを変えることなく、自動的にかつ一元的に自動登録される。これにより、ホストＡ１〜Ａ３，Ｂ１〜Ｂ３は、ＯＳＰ４に格納された情報を参照して宛先を解決する（アドレス解決）。
【００１９】
図２は、ＯＳＰがアドレス解決のために管理する管理テーブルを示す図表である。図示のように、管理テーブル１０は、各ホストＡ１〜Ａ３，Ｂ１〜Ｂ３のホスト名１１と、それぞれのホスト毎のＩＰアドレス１２と、ＭＡＣアドレス１３とがそれぞれ登録されて管理保持し、検索時には参照されるようになっている。管理テーブル１０は、データベースの一機能であり、管理情報を格納保持する管理手段として機能する。
【００２０】
ＬＡＮ１Ａ，１Ｂと、ＷＡＮ２と、ホストＡ１〜Ａ３，Ｂ１〜Ｂ３は、それぞれ既存のＩＰ／Ｅｔｈｅｒｎｅｔ（登録商標）の機能を有する。そして、ＣＰＥ３Ａ，３Ｂは、汎用のルータの機能を有する。これに、ブロードキャスト／ユニキャストの変換機能を有している。これらＣＰＥ３Ａ，３ＢおよびＯＳＰ４が有する機能について説明する。
【００２１】
ＣＰＥ３Ａ，３Ｂは、一般的なスイッチの機能を持つ。この他に、独自のＭＡＣアドレスを持つ。このＣＰＥ３Ａ，３Ｂは、配下のＬＡＮ１Ａ，１ＢからのＤＨＣＰ要求を受信すると、無条件にこのＤＨＣＰ要求の宛先をＯＳＰ４に書き換えてＷＡＮ２にユニキャスト送信し、ＷＡＮ２からＤＨＣＰ要求に対する応答を受信してＬＡＮ１Ａ，１Ｂに送出する。
【００２２】
（１）ＬＡＮ１Ａ，１ＢからＤＨＣＰ要求を受信した場合には、ＯＳＰ４へのＭＡＣユニキャストに変換してＷＡＮ２に送出する。ＭＡＣユニキャストに変換する方法は多数考えられるが、この実施の形態では、ＭＡＣフレームの宛先を「ＦＦ：ＦＦ：ＦＦ：ＦＦ：ＦＦ：ＦＦ」からＯＳＰ４のＭＡＣアドレスに変更することとする。
【００２３】
（２）ＬＡＮ１Ａ，１ＢからＡＲＰブロードキャストを受信し、ａ：ＡＲＰ解決ホストＡ１〜Ａ３，Ｂ１〜Ｂ３が同一ＬＡＮに接続されている場合には、なにも実行しない。ｂ：ＡＲＰ解決ホストＡ１〜Ａ３，Ｂ１〜Ｂ３がＬＡＮ１Ａ，１Ｂに接続されていない場合には、ＯＳＰ４へのＭＡＣユニキャストに変換してＷＡＮ２に送出する。ＭＡＣユニキャストに変換する方法は多数考えられるが、この実施の形態ではＭＡＣフレームの宛先を「ＦＦ：ＦＦ：ＦＦ：ＦＦ：ＦＦ：ＦＦ」からＯＳＰ４のＭＡＣアドレスに変更することとする。
【００２４】
ＯＳＰ４は、以下の（１），（２）の機能を有する。
（１）ＣＰＥ３Ａ，３Ｂが生成するＭＡＣユニキャストによるＤＨＣＰ要求を受信した場合には、送信元ホストＡ１〜Ａ３，Ｂ１〜Ｂ３へ通常のＤＨＣＰ応答を返す。そして、管理テーブル１０にホスト名と、ＩＰアドレスと、ＭＡＣアドレスの表を追加する。
【００２５】
（２）ＣＰＥ３Ａ，３Ｂが生成するＭＡＣユニキャストによるＡＲＰ要求を受信し、ａ：ＡＲＰ要求に該当するホストＡ１〜Ａ３，Ｂ１〜Ｂ３が表にある場合には、送信元ホストＡ１〜Ａ３，Ｂ１〜Ｂ３へ通常のＡＲＰ応答を返す。ｂ：ＡＲＰ要求に該当するホストＡ１〜Ａ３，Ｂ１〜Ｂ３が表にない場合には、なにも実行しない。
【００２６】
次に、上記の構成を有するネットワークシステムについて、各手順毎の処理内容を説明する。
【００２７】
１．ホスト登録手順
図３は、ホストからアドレス付与要求を受信したときのＯＳＰにおける構成情報の登録手順を示すタイミングチャートである。図１の構成で新たにＬＡＮ１ＡにホストＡ１が接続されたときの手順を説明する。ホストＡ１がＬＡＮ１Ａに標準ＤＨＣＰ（アドレス付与）要求を出すと（Ｄ１）、ＣＰＥ３Ａは、宛先アドレスを設定し（Ｄ２）、ＷＡＮ２を介してＯＳＰ４へユニキャストによるＤＨＣＰ要求を行う（Ｄ３）。ＯＳＰ４は、管理テーブル１０のうち、該当するホストＡ１のホスト名１１のレコードを生成し、ＭＡＣアドレス１３に該当するＩＰアドレス１２を割り当て、構成情報を決定する（Ｄ４）。この後、構成情報をホストＡ１に返信する（Ｄ５）。
【００２８】
Ｄ１〜Ｄ５の各処理内容は、図１にも記載してある。図１を参照して説明すると、この後、ＬＡＮ１Ａ内で例えば、ホストＡ３が同じＬＡＮ１Ａ内のホストＡ１をＡＲＰにより発見しようとすると（図１中Ｄ６）、ＣＰＥ３Ａは、特になにも実行せず、通常のＡＲＰ応答がホストＡ１から行われる（Ｄ７）。
【００２９】
図４は、ホストからアドレス付与要求を受信したときのＣＰＥの処理内容を示すフローチャートである。ＣＰＥ３Ａは、ホストＡ１からのＤＨＣＰ（アドレス付与）要求、あるいはＷＡＮ２側からの応答を待機する（ステップＳ１）。ＤＨＣＰ要求またはＤＨＣＰ応答を受信すると（ステップＳ２）、ＬＡＮ１Ａのポートからの受信であるか判断する（ステップＳ３）。ＬＡＮポートの受信であるときには（ステップＳ３：Ｙｅｓ）、ＡＲＰ解決ホストＡ１がＬＡＮ１Ａに接続されていないため、ＤＡ（送信元）をＯＳＰ４に書き換え（ＯＳＰ４へのＭＡＣユニキャストに変換）し（ステップＳ４）、ＷＡＮ２のポートに送出する（ステップＳ５）。
【００３０】
一方、ステップＳ３において、ＬＡＮ１Ａのポート受信ではないときには（ステップＳ３：Ｎｏ）、ＤＡ（送信元）を「ＦＦＦＦＦＦ」に書き換えて（ステップＳ６）、ＬＡＮ１Ａのポートに送出する（ステップＳ７）。ステップＳ５，Ｓ７の実行により一連の処理が実行終了し、この後ステップＳ１に戻り、再度待機する。
【００３１】
図５は、アドレス付与要求時のＯＳＰの処理内容を示すフローチャートである。待機状態のＯＳＰ４は（ステップＳ１１）、ホストＡ１（ＣＰＥ３Ａ）からのユニキャストＤＨＣＰ要求を受信すると（ステップＳ１２）、図２に示す管理テーブル１０を検索する（ステップＳ１３）。そして、該当するホストＡ１のレコードを生成し、ホスト名１１と、このホストＡ１のＭＡＣアドレス１３に該当するＩＰアドレス１２を割り当てる（ステップＳ１４）。そして、ユニキャストＤＨＣＰ応答フレームを作成し（ステップＳ１５）、ＷＡＮ２のポートからホストＡ１（ＣＰＥ３Ａ）に送出する（ステップＳ１６）。以上により一連の処理が実行終了し、この後ステップＳ１１に戻り、待機する。
【００３２】
２．ホスト情報参照手順
図６は、ホストがＷＡＮを跨った他のホストを発見する際にＯＳＰが実行するアドレス解決の手順を示すタイミングチャートである。図１に示したＬＡＮ１ＢのホストＢ３がＬＡＮ１Ａに配属されているホストＡ１に対する通信開始時の手順を説明する。ホストＢ３は、ＬＡＮ１Ｂを介してＡＲＰなど既存のブロードキャストによりＣＰＥ３Ｂに対してＡＲＰを要求する（Ｄ１１）。ＣＰＥ３Ｂは、ＡＲＰの変換により、ブロードキャスト／ユニキャストの変換を行い、宛先アドレスを設定する（Ｄ１２）。そしてＣＰＥ３Ｂは、ＷＡＮ２を介してＯＳＰ４に対し、ユニキャストＡＲＰによるホストＡ１の発見を要求する（Ｄ１３）。ＯＳＰ４は、図２の管理テーブル１０を参照して、該当するホストＡ１のホスト名１１に設定されているＩＰアドレス１２に対応するＭＡＣアドレス１３を検索する（Ｄ１４）。そして、ホストＡ１のアドレス情報（ＭＡＣアドレス）をホストＢ３に返信する（Ｄ１５）。
【００３３】
Ｄ１１〜Ｄ１５の各処理内容は、図１にも記載してある。図１を参照して説明すると、この後、ホストＢ３は、ＯＳＰ４からのＡＲＰ応答を受け、宛先ＭＡＣアドレスを知る（Ｄ１６）。そして、ＬＡＮ１Ａ内のホストＡ１からＬＡＮ１Ｂ内のホストＢ３に対して、ＭＡＣユニキャストでホスト・ツー・ホストによる通信が開始される（Ｄ１７）。
【００３４】
図７は、ホストからアドレス解決要求によるホスト発見の要求を受信したときのＣＰＥの処理内容を示すフローチャートである。ＣＰＥ３Ｂは、ホストＢ３からのＡＲＰ（アドレス解決）要求を待機し（ステップＳ２１）、ＡＲＰ要求を受信すると（ステップＳ２２）、ＬＡＮ１Ｂのポートからの受信であるか判断する（ステップＳ２３）。ＬＡＮ１Ｂのポートからの受信であるときには（ステップＳ２３：Ｙｅｓ）、ＭＡＣアドレスが未知であるか判断する（ステップＳ２４）。ＭＡＣアドレスが未知であれば（ステップＳ２４：Ｙｅｓ）、ＤＡ（送信元）をＯＳＰ４に書き換え（ステップＳ２５）、ＷＡＮ２のポートに送出する（ステップＳ２６）。
【００３５】
一方、ステップＳ２３においてＬＡＮ１Ｂのポート受信ではないとき（ステップＳ２３：Ｎｏ）、およびＭＡＣアドレスが既知であるときには（ステップＳ２４：Ｎｏ）、ステップＳ２１に復帰する。ステップＳ２６の実行により一連の処理が実行終了し、この後ステップＳ２１に戻り、再度待機する。
【００３６】
図８は、アドレス解決要求時のＯＳＰの処理内容を示すフローチャートである。待機状態のＯＳＰ４は（ステップＳ３１）、ホストＢ３（ＣＰＥ３Ｂ）からユニキャストでＡＲＰ（アドレス解決）要求を受信すると（ステップＳ３２）、図２に示す管理テーブル１０を検索し（ステップＳ３３）、該当するレコードの有無を判断する（ステップＳ３４）。ステップＳ３４において、該当するホストＡ１のレコードがなければ（ステップＳ３４：Ｎｏ）、ステップＳ３１に戻る。該当するホストＡ１のレコードがあれば（ステップＳ３４：Ｙｅｓ）、ホストＡ１のアドレス情報（ＭＡＣアドレス）からなるＡＲＰ応答フレームを作成し（ステップＳ３５）、ＷＡＮ２のポートからホストＢ３（ＣＰＥ３Ｂ）に送出する（ステップＳ３６）。以上により、一連の処理が実行終了し、この後ステップＳ３１に戻り、待機する。
【００３７】
図９は、実施の形態１において用いられるフレームフォーマットを示す図表である。図１（図３、図６）における各処理Ｄ１，Ｄ３，Ｄ５，Ｄ１１，Ｄ１３，Ｄ１５それぞれのフレームフォーマットを示した。図示のように、ホスト−ＣＰＥ間では、標準的なＤＨＣＰおよびＡＲＰの手順が実施される。これに対して、図示のように、ＯＳＰ−ＣＰＥ間は、通常ＭＡＣブロードキャストで行われる手順をＭＡＣユニキャストに変換して行うようになっている。なお、図９のフレームフォーマットにおけるＯＳＰ４のＭＡＣアドレスは、「００００３８ＥＡ９Ｆ４１」とし、ホストＡ１のＭＡＣアドレスは、「０００ＡＥＢ８４９Ｃ３３」として記載した。
【００３８】
以上説明したように、この発明のネットワークは、ＩＥＥＥ８０２．３に準拠した構内ネットワーク（ＬＡＮ）１Ａ、１Ｂと、広域ネットワーク（ＷＡＮ）２とを、ネットワークノード（ＣＰＥ）３Ａ，３Ｂを用いて接続し、ＷＡＮ２に中央集中のネットワーク管理装置（ＯＳＰ）４を接続してなる。そして、複数のＬＡＮ１Ａ，１Ｂは、ＣＰＥ３Ａ，３Ｂを介しておのおの単一のＷＡＮ２に接続される。一つのＯＳＰ４がスイッチによってＷＡＮ２に接続される。ＯＳＰ４は、管理テーブル１０を備え、この管理テーブル１０は、複数のＬＡＮ１Ａ，１Ｂ内で起動されている全てのホストＡ１〜Ａ３，Ｂ１〜Ｂ３のＭＡＣアドレス１３と、ＩＰアドレス１２と、ホスト名１１とを登録保持する。そして、ＩＰ／Ｅｔｈｅｒｎｅｔ（登録商標）の標準的なプロトコルを変えることなく利用できる。ホストＡ１〜Ａ３，Ｂ１〜Ｂ３は、ＯＳＰ４の管理テーブル１０に格納された情報を参照して宛先を解決することができる。
【００３９】
そして、ＣＰＥ３Ａ，３Ｂは、一般的なスイッチの機能を持つ他、独自のＭＡＣアドレスを持っている。ＣＰＥ３Ａ，３Ｂは、配下のＬＡＮ１Ａ，１ＢからのＤＨＣＰ要求を受信すると、無条件にこのＤＨＣＰ要求の宛先をＯＳＰ４に書き換えて、ＷＡＮ２にユニキャスト送信する。また、ＷＡＮ２からＤＨＣＰ要求に対するＤＨＣＰ応答を受信すると、ＬＡＮ１Ａ，１Ｂに送出する。また、このＣＰＥ３Ａ，３Ｂは、配下のＬＡＮ１Ａ，１ＢからのＡＲＰ要求を受信したときには、ＡＲＰ要求がＬＡＮ１Ａ，１Ｂ内であるか、ＬＡＮ１Ａ，１Ｂ外であるかを判定する。ＬＡＮ１Ａ，１Ｂ外の場合には、このＡＲＰ要求の宛先をＯＳＰ４に書き換えてＷＡＮ２にユニキャスト送信する。そして、ＷＡＮ２からＡＲＰ要求に対するＡＲＰ応答を受信してＬＡＮ１Ａ，１Ｂに送出する。
【００４０】
また、ＯＳＰ４は、一般的なＤＨＣＰサーバと、ＤＮＳサーバの機能を持つ。この他、少なくとも両機能に必要なホスト名１１と、ＩＰアドレス１２と、ＭＡＣアドレス１３とを記憶し、これらホスト名１１と、ＩＰアドレス１２と、ＭＡＣアドレス１３とを関連付けて管理する管理テーブル１０を有する。このＯＳＰ４は、ＣＰＥ３Ａ，３Ｂと連携して自らのＭＡＣアドレス１３を宛先とする特殊なユニキャストＤＨＣＰ要求に対して、管理テーブル１０を検索して代理応答を送出する。また、このＯＳＰ４は、ＣＰＥ３Ａ，３Ｂと連携して自らのＭＡＣアドレス１３を宛先とする特殊なユニキャストＡＲＰ要求に対して、管理テーブル１０を検索して代理応答を送出する。
【００４１】
以上説明した実施の形態１によれば、１．ＡＲＰブロードキャストストームの防止と、２．ＯＳＰに対するトラフィックの集中防止、の２つの効果を得ることができる。１．ＡＲＰブロードキャストストームの防止については、上記ネットワークによれば、従来問題とされたブロードキャストをＣＰＥがａ．ＬＡＮ内ＡＲＰブロードキャストと、ｂ．ＬＡＮ外ＡＲＰブロードキャストと、ｃ．その他のブロードキャストとにそれぞれ分ける。そして、ｂ．ＬＡＮ外ＡＲＰブロードキャストをユニキャストに変換して送出し、ｃ．その他のブロードキャストはそのまま転送する。ブロードキャストのほとんどは、ＡＲＰであるため、ｃ．その他のブロードキャストはあまり問題にならない。これによって既存の技術と同様の透過性を維持しつつ、ＡＲＰブロードキャストによるアクセス帯域飽和を解決できるようになる。
【００４２】
２．ＯＳＰに対するトラフィックの集中防止については、上記ネットワークによれば、一つのＬＡＮ内ホストから別のＬＡＮ内ホストへのユニキャストトラフィックを全てＯＳＰを経由せずに送受信できる。ＯＳＰに送受信されるトラフィックは、ホストの登録に使われるＤＨＣＰと、ホストの発見に使われるＡＲＰのみとなり、通常９９．９％以上のトラフィックはＯＳＰを経由しない別経路でスイッチングされる。これにより、ＯＳＰに対するトラフィックの集中を防止できる。
【００４３】
また、新規のホスト追加はＤＨＣＰで行われ、ＤＮＳと統合されるため、ホスト構成の管理は完全にＯＳＰによる中央集中が可能となる。また、上記の管理テーブルを直接利用してホスト発見を行うため、スイッチングのための情報と、構成管理情報の同期を実現することができ、障害回復のための情報の大半もＯＳＰで検出できる。また、構内ネットワークが複数のＬＡＮで構成されているような私的ネットワークをアウトソーシングするとき、最初にＷＡＮに隣接するセグメントだけを上記実施の形態で説明した構成の如く再構築する。そして、多数のホストが接続されるＬＡＮは、そのままＩＰルーティングのままにしておく。この状態では、ＷＡＮと、ＷＡＮに隣接するＬＡＮセグメントだけを部分的にアウトソーシングできるようになる。この後、ＷＡＮに隣接のＬＡＮセグメントにＩＰルーティングによってインターネットワーキングされている別のＬＡＮは、ＩＰルータをスイッチに置き換えていくだけで、次第にアウトソーシングに置き換えることができるようになる。このように段階的なネットワーク構成の移行も可能となり、アウトソーシングへのステップを柔軟に行えるようになる。
【００４４】
（実施の形態２）
通常、複数の物理または論理インターフェースを持つＩＰホストは、各インターフェースに一貫したサブネット番号を割り当てなければならない。しかし、異なる管理主体が所有するＩＰネットワークを収容した場合、一貫したサブネット番号が付けられるとは限らない。
【００４５】
図１０は、本発明の実施の形態２による、複数のネットワーク構成への適用例を示す図である。図１０に示すように、２つの私的ネットワーク１０１，１０２があり、ネットワーク１０１のＬＡＮ１Ａ，１ＢがＣＰＥ３Ａ，３ＢによりＷＡＮ２Ａを跨いで接続され、ネットワーク１０２においてもＬＡＮ１Ｃ，１ＤがＣＰＥ３Ｃ，３ＤによりＷＡＮ２Ｂを跨いで接続されているとする。ネットワーク１０１のホストは、Ａ１〜Ａ３，Ｂ１〜Ｂ３であり、ネットワーク１０２のホストは、Ｃ１〜Ｃ３，Ｄ１〜Ｄ３であるとする。
【００４６】
上記構成において、２つのネットワーク１０１，１０２にＯＳＰ４を接続した場合、ＯＳＰ４は、これら２つのネットワーク１０１，１０２から同一のＩＰアドレスへの返信を行わねばならない場合が生じる。ＯＳＰ４が通常のＩＰホスト機能を有するだけでは、返信することができない。
【００４７】
このため、ホストＡ１〜Ａ３，Ｂ１〜Ｂ３，Ｃ１〜Ｃ３，Ｄ１〜Ｄ３が、１．フレームを受信したインターフェースに対して返信を送出する。２．ＯＳＰ４が各ネットワーク１０１，１０２に対応する複数の管理テーブル１０ａ，１０ｂを持って個別にアドレス空間を記憶し、各アドレス空間を１．のインターフェース番号に関連付ける。ＯＳＰ４は、２．の機能を不図示のＩ／Ｆ制御手段が実行制御する。
【００４８】
上記１．２．の２つの機能を持たせることにより、一台のＯＳＰ４を用いて複数の私的ネットワーク１０１，１０２を収容することができるようになる。これにより、ＯＳＰ４の台数を増やすことなく設備集約でき、ネットワークアドレスを解決できるようになる。
【００４９】
上記構成のＯＳＰ４は、物理的に複数のＩＰ／Ｅｔｈｅｒｎｅｔ（登録商標）のネットワークインターフェースを有し、ＩＥＴＦ  ＲＦＣ２３００によって規定されたパケットフォーマットに準拠したデータグラム（ＩＰパケット）およびＩＥＥＥ８０２．１によって規定されたフレームフォーマットに準拠したフレーム（Ｅｔｈｅｒｎｅｔ（登録商標）フレーム）による要求に対して返信を送出するとき、宛先ＩＰアドレスに拘わらず、この要求を受信した物理的ネットワークインターフェースを選択する構成とした。物理的インターフェースに限らず、論理的ネットワークインターフェースを有し、ＩＰパケットおよびＥｔｈｅｒｎｅｔ（登録商標）フレームによる要求に対して返信を送出するとき、宛先ＩＰアドレスに拘わらず、この要求を受信した論理的ネットワークインターフェースを選択する構成とすることもできる。
【００５０】
上記実施の形態２によれば、ＯＳＰが複数の論理インターフェースを持ち、それぞれ別の私的ネットワークを接続し、それぞれ別のホスト管理空間を持つことができる。これにより、複数企業へのサービスを設備集約的に行い、アウトソーシングに費やされるコストを軽減できるようになる。
【００５１】
（実施の形態３）
実施の形態３は、上述したネットワークシステムにおけるホストの登録抹消や移動時における処理に関する。例えば、図１に示すように、ホストＡ１〜Ａ３，Ｂ１〜Ｂ３は、故障や回線切断、移動等の要因によってＬＡＮ１Ａ，１Ｂ内での配属状態が変動する。ＯＳＰ４は、これらホストＡ１〜Ａ３，Ｂ１〜Ｂ３の配属状態の変更があった都度、管理テーブル１０に反映させる管理を行う。
【００５２】
１．ＬＡＮに直接接続されているホストのリンク切断時
ＣＰＥ３Ａ，３Ｂは、ＬＡＮ１Ａ，１Ｂに配属され、直接接続されているホストＡ１〜Ａ３，Ｂ１〜Ｂ３の物理リンク情報を検出するリンク検出手段を備える（不図示）。このリンク検出手段は、具体的には、パルス等を用いてＬＡＮ１Ａ，１Ｂに対するホストＡ１〜Ａ３，Ｂ１〜Ｂ３の接続状態を検出する。そして、このリンク検出手段が、あるホストＡ１のリンク切断を検出したときには、ＯＳＰ４に対してこのホストＡ１の登録抹消通知を送信する。ＯＳＰ４は、この登録抹消通知を受けると、管理テーブル１０（図２参照）のうち、該当するホストＡ１のＩＰアドレス１２と、ＭＡＣアドレス１３を消去する。これにより、ＬＡＮ１Ａ，１Ｂに対するホストＡ１〜Ａ３，Ｂ１〜Ｂ３の配属状態を常時最新の状態に維持できるようになる。
【００５３】
２．ＬＡＮに間接的に接続されているホストの活性確認未検出時
ＬＡＮ１Ａ，１Ｂに配属されているホストＡ１〜Ａ３，Ｂ１〜Ｂ３は、カスケードブリッジ等により、間接的に接続されていることがある。ＣＰＥ３Ａ，３Ｂは、カスケードブリッジされているホストがあれば、この接続状態を予め設定しておく。そして、ＣＰＥ３Ａ，３Ｂは、間接的に接続されたホストに対して、定期的に活性確認信号を送信し、その返答により活性確認を行う活性検出手段を備える（不図示）。そして、この活性検出手段が、あるホストＡ１のリンク切断を検出したときには、ＯＳＰ４に対してこのホストＡ１の登録抹消通知を送信する。ＯＳＰ４は、この登録抹消通知を受けると、管理テーブル１０（図２参照）のうち、該当するホストＡ１のＩＰアドレス１２と、ＭＡＣアドレス１３を消去する。これにより、ＬＡＮ１Ａ，１Ｂに対するホストＡ１〜Ａ３，Ｂ１〜Ｂ３の配属状態を常時最新の状態に維持できるようになる。
【００５４】
３．ホストが重複するＤＨＣＰ要求時
ホストＡ１〜Ａ３の故障や移動等により、該当するホストの登録抹消の処理（上記１．２．の処理）が何らかの要因で正常に実行されなかったときに実行する処理である。ＯＳＰ４の管理テーブル１０に、例えば、既にホストＡ１として登録されているＭＡＣアドレス１３があるとする。図１に示すホストＡ１がＬＡＮ１Ａの配属から離れ、例えばＬＡＮ１Ｂの配属下に移動したとする。このとき、ホストＡ１の登録抹消が実行されなかったとする。これにより、移動後のホストＡ１は、ＬＡＮ１ＢからＯＳＰ４に対して、ＤＨＣＰ要求を行う。ＯＳＰ４では、重複したＭＡＣアドレス１３をキーとするＤＨＣＰ要求を受け取ることになる。このとき、不図示の管理手段は、ＤＨＣＰ要求を受け取ったときに、既に登録されているホストＡ１に関する管理情報を抹消する。そして、ＬＡＮ１Ｂにおける新たなホストとして新しい管理情報を作成し、ホストにＤＨＣＰ応答する。これにより、ホスト移動時に登録抹消の未完が生じても、過去の不要な管理情報を抹消でき、新たなホスト接続状態に対応した管理情報を作成し、登録、管理できるようになる。
【００５５】
なお、本実施の形態で説明したネットワークアドレス解決方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【００５６】
（付記１）構内ネットワークと、広域ネットワークとで構成され、ホスト間を通信可能に相互接続されたネットワークシステムにおいて、
前記ホストが配置される複数の前記構内ネットワークと、
複数の前記構内ネットワークに接続される前記広域ネットワークと、
複数の前記構内ネットワークと前記広域ネットワークとの間を接続し、前記構内ネットワークと前記広域ネットワークの相互の宛先を変換するネットワークブリッジ装置と、
前記広域ネットワークに接続されるネットワーク管理装置と、を備え、
前記ネットワーク管理装置は、複数の前記構内ネットワークに配置されている前記ホストのホスト名と、前記ネットワークシステムにおける第１の階層アドレスと、第２の階層アドレスとを関連付けた管理情報を登録可能に管理する管理手段を備え、当該管理手段に登録されている管理情報に基づいて、前記ホスト間での宛先のアドレス解決を行うことを特徴とするネットワークシステム。
【００５７】
（付記２）前記ネットワークブリッジ装置は、前記構内ネットワークから前記第１の階層アドレスの付与を求めるアドレス付与要求を受信したときには、当該アドレス付与要求の宛先を前記ネットワーク管理装置に書き換えて前記広域ネットワークにユニキャスト送信し、前記広域ネットワークから前記アドレス付与要求に対するアドレス付与応答を受信したときには、当該アドレス付与応答を前記構内ネットワークに送信する変換手段を備えたことを特徴とする付記１に記載のネットワークシステム。
【００５８】
（付記３）前記ネットワークブリッジ装置は、前記構内ネットワークからアドレス解決要求を受信したときには、当該アドレス解決要求が前記構内ネットワーク内からのものであるか、あるいは前記構内ネットワーク外からのものであるかを判定する判定手段と、
前記判定手段による判定の結果、前記アドレス解決要求が前記構内ネットワーク外からのものであるときには、前記アドレス解決要求の宛先を前記ネットワーク管理装置に書き換えて前記広域ネットワークにユニキャスト送信し、前記広域ネットワークから前記アドレス解決要求に対するアドレス解決応答を受信したときには、当該アドレス解決応答を前記構内ネットワークに送信する変換手段を備えたことを特徴とする付記１または２に記載のネットワークシステム。
【００５９】
（付記４）前記ネットワークブリッジ装置は、前記構内ネットワークに直接接続されている前記ホストの物理リンク情報を検出するリンク検出手段を備え、
前記リンク検出手段によるリンク切断の検出時には、前記ネットワーク管理装置に対して当該ホストの登録抹消のための通知を送信することを特徴とする付記１〜３のいずれか一つに記載のネットワークシステム。
【００６０】
（付記５）前記ネットワークブリッジ装置は、前記構内ネットワークに対して間接接続されている前記ホストに対して活性確認信号を定期的に送信し、当該活性確認信号の返答による活性確認を行う活性検出手段を備え、
前記活性検出手段による活性確認がとれなくなったときには、前記ネットワーク管理装置に対して当該ホストの登録抹消のための通知を送信することを特徴とする付記１〜４のいずれか一つに記載のネットワークシステム。
【００６１】
（付記６）前記ネットワーク管理装置は、前記ネットワークブリッジ装置から送信されたユニキャストの前記アドレス付与要求の受信に基づいて前記管理手段の管理情報を検索する検索手段を備え、当該検索手段により検索された第１の階層アドレスに対応する第２の階層アドレスをアドレス付与応答として前記構内ネットワークに送信することを特徴とする付記１に記載のネットワークシステム。
【００６２】
（付記７）前記ネットワーク管理装置は、前記ネットワークブリッジ装置から送信されたユニキャストの前記アドレス解決要求の受信に基づいて前記管理手段の管理情報を検索する検索手段を備え、当該検索手段により検索された第２の階層アドレスに対応する第１の階層アドレスをアドレス解決応答として前記構内ネットワークに送信することを特徴とする付記１または６に記載のネットワークシステム。
【００６３】
（付記８）前記ネットワーク管理装置は、物理的もしくは論理的に複数のＩＥＥＥ８０２．３によって規定された通信手順に準拠したネットワークインターフェースを有し、ＩＥＴＦ  ＲＦＣ２３００によって規定されたパケットフォーマットに準拠したデータグラムおよびＩＥＥＥ８０２．１によって規定されたフレームフォーマットに準拠したフレームによる要求に対する返信を、宛先の第２の階層アドレスに拘わらず前記要求を受信した物理的もしくは論理的ネットワークインターフェースを選択して送信することを特徴とする付記６または７に記載のネットワークシステム。
【００６４】
（付記９）前記ネットワーク管理装置は、物理的もしくは論理的に複数のＩＥＥＥ８０２．３によって規定された通信手順に準拠したネットワークインターフェースを有し、要求を受信した物理的もしくは論理的ネットワークインターフェース毎の個別の領域に、前記ホスト名と、第２の階層アドレスと、第１の階層アドレスとを関連付けた管理情報を格納保持することを特徴とする付記６〜８のいずれか一つに記載のネットワークシステム。
【００６５】
（付記１０）ホストが配属される構内ネットワークと、広域ネットワークとを前記ホスト間の通信が可能となるように接続するネットワークブリッジ装置において、
前記構内ネットワークから第１の階層アドレスの付与を求めるアドレス付与要求を受信したときには、当該アドレス付与要求の宛先をネットワークを集中管理するネットワーク管理装置に書き換えて前記広域ネットワークにユニキャスト送信し、前記広域ネットワークから前記アドレス付与要求に対するアドレス付与応答を受信したときには、当該アドレス付与応答を前記構内ネットワークに送信する変換手段を備えたことを特徴とするネットワークブリッジ装置。
【００６６】
（付記１１）前記構内ネットワークからアドレス解決要求を受信したときには、当該アドレス解決要求が前記構内ネットワーク内からのものであるか、あるいは前記構内ネットワーク外からのものであるかを判定する判定手段と、
前記判定手段による判定の結果、前記アドレス解決要求が前記構内ネットワーク外からのものであるときには、前記アドレス解決要求の宛先を前記ネットワーク管理装置に書き換えて前記広域ネットワークにユニキャスト送信し、前記広域ネットワークから前記アドレス解決要求に対するアドレス解決応答を受信したときには、当該アドレス解決応答を前記構内ネットワークに送信する変換手段を備えたことを特徴とする付記１０に記載のネットワークブリッジ装置。
【００６７】
（付記１２）構内ネットワークと、広域ネットワークとで構成され、ホスト間を通信可能に接続するネットワークシステムにおける前記広域ネットワークに接続されて前記ネットワークシステム全体を集中管理するネットワーク管理装置において、
複数の前記構内ネットワークに配置されている前記ホストのホスト名と、前記ネットワークシステムにおける第１の階層アドレスと、第２の階層アドレスとを関連付けた管理情報を登録可能に管理する管理手段を備え、当該管理手段に登録されている管理情報に基づいて、前記ホスト間での宛先のアドレス解決を行うことを特徴とするネットワーク管理装置。
【００６８】
（付記１３）前記広域ネットワークから送信されたユニキャストのアドレス付与要求の受信に基づいて前記管理手段の管理情報を検索する検索手段を備え、当該検索手段により検索された第１の階層アドレスに対応する第２の階層アドレスをアドレス付与応答として前記構内ネットワークに送信することを特徴とする付記１２に記載のネットワーク管理装置。
【００６９】
（付記１４）前記広域ネットワークから送信されたユニキャストのアドレス解決要求の受信に基づいて前記管理手段の管理情報を検索する検索手段を備え、当該検索手段により検索された第２の階層アドレスに対応する第１の階層アドレスをアドレス解決応答として前記構内ネットワークに送信することを特徴とする付記１２または１３に記載のネットワーク管理装置。
【００７０】
（付記１５）ホストが配属される複数の構内ネットワークと、前記構内ネットワークに接続される広域ネットワークとで構成されているネットワークシステムにおけるネットワークアドレス解決方法であって、
複数の前記構内ネットワークに配属されている前記ホストのホスト名と、前記ネットワークシステムにおける第１の階層アドレスと、第２の階層アドレスとを関連付けた管理情報を登録可能に管理する管理工程と、
前記ホスト間の通信時に、前記管理工程により管理されている前記管理情報に基づいて宛先をアドレス解決するアドレス解決工程と、
を含むことを特徴とするネットワークアドレス解決方法。
【００７１】
（付記１６）前記構内ネットワークからのアドレス付与要求とアドレス解決要求の宛先を、広域ネットワークに接続されたネットワーク管理装置に変換する変換工程を含み、
前記変換工程で変換された宛先のネットワーク管理装置において前記管理工程と、前記アドレス解決工程を実行することを特徴とする付記１５に記載のネットワークアドレス解決方法。
【産業上の利用可能性】
【００７２】
以上のように、本発明にかかるネットワークシステム、ネットワークブリッジ装置、ネットワーク管理装置およびネットワークアドレス解決方法は、構内ネットワークと、広域ネットワークとで構成され、ホスト間を通信可能に相互接続されたネットワークにおける宛先のアドレス解決が行え、特に、アドレス解決や、ＩＰルーティングや、障害発生時の情報を中央集中のセンター（ＯＳＰ）で管理することができるため、ＬＡＮのアウトソーシングの用途に適している。
【図面の簡単な説明】
【００７３】
【図１】この発明の実施の形態１によるネットワークシステムの全体構成を示す図である。
【図２】ＯＳＰがアドレス解決のために管理する管理テーブルを示す図表である。
【図３】ホストからアドレス付与要求を受信したときのＯＳＰにおける構成情報の登録手順を示すタイミングチャートである。
【図４】ホストからアドレス付与要求を受信したときのＣＰＥの処理内容を示すフローチャートである。
【図５】アドレス付与要求時のＯＳＰの処理内容を示すフローチャートである。
【図６】ホストがＷＡＮを跨った他のホストを発見する際にＯＳＰが実行するアドレス解決の手順を示すタイミングチャートである。
【図７】ホストからアドレス解決要求によるホスト発見の要求を受信したときのＣＰＥの処理内容を示すフローチャートである。
【図８】アドレス解決要求時のＯＳＰの処理内容を示すフローチャートである。
【図９】実施の形態１において用いられるフレームフォーマットを示す図表である。
【図１０】本発明の実施の形態２による、複数のネットワーク構成への適用例を示す図である。
【図１１】企業等が構築する従来のＩＰネットワークを示す図である。
【図１２】ＩＥＥＥ８０２．３規格に準拠したネットワーク構成を示す図である。
【符号の説明】
【００７４】
１Ａ，１Ｂ  構内ネットワーク（ＬＡＮ）
２  広域ネットワーク（ＷＡＮ）
３Ａ，３Ｂ  ネットワークノード（ＣＰＥ）
４  ネットワーク管理装置（ＯＳＰ）
１０  管理テーブル
１１  ホスト名
１２  ＩＰアドレス
１３  ＭＡＣアドレス
Ａ１〜Ａ３，Ｂ１〜Ｂ３  ホスト
【図１】
2006020085.tif 000003
【図２】
2006020085.tif 000004
【図３】
2006020085.tif 000005
【図４】
2006020085.tif 000006
【図５】
2006020085.tif 000007
【図６】
2006020085.tif 000008
【図７】
2006020085.tif 000009
【図８】
2006020085.tif 000010
【図９】
2006020085.tif 000011
【図１０】
2006020085.tif 000012
【図１１】
2006020085.tif 000013
【図１２】
2006020085.tif 000014